(57)【要約】【課題】  生餌に乗ったイカを確実に掛け針に掛けて捕えることができるイカ釣り用仕掛を提供する。【解決手段】  一端部に釣糸連結部２をそなえた棒体３の他端部に、先端４ａに向ってハの字状に広がる２本の弾性線材４，４の基端部を連設し、これら各弾性線材の先端部に掛け針５を取付けるとともに、中間部に生餌用針１５が取付けられ２本の弾性線材４，４が挿通される穴１４ａ，１４ｂをそなえた餌保持具１０を、弾性線材４に沿って摺動自在に装着してなり、餌保持具１０の弾性線材４の先端方向への摺動時に穴１４ａ，１４ｂとの係合により弾性線材４，４が相互に接近方向に弾性変形するようにした。【選択図】      図１
2008228611.tif 000002
【特許請求の範囲】
【請求項１】
一端部に釣糸連結部をそなえた棒体の他端部に、先端に向ってハの字状に広がる２本の弾性線材の基端部を連設し、これら各弾性線材の先端部に掛け針を取付けるとともに、中間部に生餌用針が取付けられ前記２本の弾性線材が挿通される穴をそなえた餌保持具を、前記弾性線材に沿って摺動自在に装着してなり、前記餌保持具の前記弾性線材先端方向への摺動時に前記穴との係合により前記弾性線材が相互に接近方向に弾性変形するようにしたことを特徴とするイカ釣り用仕掛。
【請求項２】
前記生餌用針が、生餌の鼻部に引掛けられる鼻掛け針からなることを特徴とする請求項１記載のイカ釣り用仕掛。
【請求項３】
前記弾性線材の長手方向中間部に、前記餌保持具の移動を規制するストッパを設けたことを特徴とする請求項１または２記載のイカ釣り用仕掛。
【発明の詳細な説明】
【技術分野】
【０００１】
この発明は、生餌を用いてイカ釣りをおこなうのに使用する仕掛に関するものである。
【背景技術】
【０００２】
従来、ヤエン釣りのような面倒なヤエンの投入などを必要とすることなく、アジ等の生餌を用いてイカ釣りをおこなう仕掛として、下部にイカ引掛け用の掛け針を有する棒体の上部の所定位置にあるいは棒体に沿って移動自在に、生餌保持用の鉤針を取付けた仕掛（例えば特許文献１〜２参照。）や、棒体の掛け針取付け部と反対側に錘を取付け、棒体に取付けた鉤針（餌付け具）と錘の配置位置間に糸止め具を配置した仕掛（例えば特許文献３参照。）が、提案されている。
【特許文献１】特開２００４−３２９０３９号公報
【特許文献２】特開２００２−２５３０９５号公報
【特許文献３】特開２００３−１１６号公報
【０００３】
ところが上記従来の仕掛では、イカが生餌に乗った際に棒体を、掛け針が上方に向うように反転させることにより（特許文献１，２の仕掛の場合）、あるいは掛け針が下方に向うように反転させることにより（特許文献３の仕掛の場合）、掛け針をイカに掛けるようにするものであって、掛け針はイカに対して下側又は上側の一方の側から上記反転による棒体の回転力のみによってイカに接触するだけであるため、掛け針をイカに対して大きな力で確実に引掛けることができず、また掛け針に引掛かったイカが逃げるのを阻止することもできないため、イカを取逃がしてしまうことが多いという問題点を有するものであった。
【発明の開示】
【発明が解決しようとする課題】
【０００４】
この発明は上記従来の問題点を解決しようとするもので、生餌に乗ったイカを確実に掛け針に掛けて捕えることができるイカ釣り用仕掛を提供することを目的とする。
【課題を解決するための手段】
【０００５】
上記目的を達成するために、この発明のイカ釣り用仕掛は、一端部に釣糸連結部をそなえた棒体の他端部に、先端に向ってハの字状に広がる２本の弾性線材の基端部を連設し、これら各弾性線材の先端部に掛け針を取付けるとともに、中間部に生餌用針が取付けられ前記２本の弾性線材が挿通される穴をそなえた餌保持具を、前記弾性線材に沿って摺動自在に装着してなり、前記餌保持具の前記弾性線材先端方向への摺動時に前記穴との係合により前記弾性線材が相互に接近方向に弾性変形するようにしたことを特徴とする。
【０００６】
このように構成したイカ釣り用仕掛によれば、釣糸により吊下げられ水中で下向きに延びているハの字状に開いた弾性線材の上部に保持されている餌保持具の生餌用針に掛けてある生餌に、イカが接近して触手を延ばして生餌を引張ったり抱付いたりすると、先ず餌保持具を介して引張られた仕掛全体が回動して２本の弾性線材がイカの胴部のほぼ左右両側位置まで移動し、さらにイカが生餌を引張ることにより弾性線材の先端方向に向って移動する餌保持具によって、２本の弾性線材はイカの胴部に向って弾性変形してその先端部の掛け針が、イカの胴部を左右からはさみ付ける形でイカに引掛かる。イカがさらに餌保持具を引張って逃げようとすると、餌保持具により絞られる形で弾性線材および掛け針がイカに一層深く喰込むので、イカは逃げられず掛け針により確実に捕獲される。
【０００７】
この発明において餌保持具に取付けられる生餌用針としては、生餌の背部に引掛けられる背掛け針を用いてもよいが、請求項２記載の発明のように、前記生餌用針が、生餌の鼻部に引掛けられる鼻掛け針からなる構成とすれば、生餌は消耗やいたみが少なくて済み、またイカが最初に取付く生餌の尾部は餌保持具や弾性線材部から離間した位置に来るのでイカの警戒する度合が少なく、イカの捕獲率が向上する。
【０００８】
またこの発明において弾性線材に沿って摺動する餌保持具は、弾性線材の先端部付近まで移動できる構成としてもよいが、請求項３記載の発明のように、前記弾性線材の長手方向中間部に、前記餌保持具の移動を規制するストッパを設けた構成とすれば、イカ釣り使用前または使用後の状態で、餌保持具を弾性線材に沿ってストッパに当接するまで指などで移動させれば、２本の弾性線材は相互に接近する方向に弾性変形し、両弾性線材の先端の掛け針および生餌用針が相互に絡み合わない状態でコンパクトな外形形状とさせることができ、イカ釣り用仕掛の箱等の容器への収容，保管，運搬等に便利である。
【発明の効果】
【０００９】
以上説明したようにこの発明によれば、イカが生餌を介して餌保持具を引張ることにより、先ずイカの胴部のほぼ左右両側位置に移した弾性線材が、弾性変形して掛け針がイカを左右からはさみ付ける形でイカに引掛かり、さらにイカが餌保持具を引張って逃げようとしても掛け針は一層深くイカに喰込み、イカを確実に捕えることができる。
【００１０】
また上記の効果に加えて、請求項２記載の発明によれば、生餌の消耗やいたみが少なくて済むとともに、イカの警戒する度合が少ないのでイカの捕獲率が向上する。
【００１１】
また上記の効果に加えて、請求項３記載の発明によれば、イカ釣りに使用していない状態において餌保持具を弾性線材に沿ってストッパまで移動させることにより、各掛け針および生餌用針が相互に絡み合わない状態でイカ釣り用仕掛全体をコンパクトな外形形状とすることができ、イカ釣り用仕掛の容器等への収容，保管，運搬等に便利である。
【発明を実施するための最良の形態】
【００１２】
以下図１〜図６に示す第１例により、この発明の実施の形態を説明する。図１において、１はイカ釣り用仕掛で、一端部に釣糸連結部２をそなえた棒体３の他端部に、先端４ａに向ってハの字状に広がる２本の弾性線材４，４の基端部を連設して、本体部を構成してある。図１（および図２，図３）は、釣糸連結部２を上側にして吊下げた（あるいは立てた）状態を示している。弾性線材４としては、後述するようにイカ釣り用仕掛１が水中に保持されている状態での生餌の泳動力程度の力によっては餌保持具１０（後述）を介して弾性線材４が弾性変形しないように、かつこの泳動力よりは十分大きいイカの生餌を介しての引張力によっては弾性線材４が弾性変形するように、その材質や線径が選定されるものであり、たとえば線径１．０mm前後のステンレス線やピアノ線などの金属線を好適に使用することができる。
【００１３】
上記棒体３は弾性線材４とは別の金属棒などを弾性線材４の基端部に溶接などにより接続した構成としてもよいが、この例では１本の弾性線材４の中央部を折曲げて釣糸連結部２を形成し、これに続く直線状の弾性線材４の２本並列部をアルミ管３ａに通してその両端部をかしめて棒体３部を形成し、このアルミ管３ａの下端から突出した２本の弾性線材４，４をハの字状に折曲成形して、図示の本体部を構成してある。
【００１４】
２本の弾性線材４の先端４ａ（図示の状態では下端）部には、イカ引掛用に複数本の針を傘針状に配置した掛け針５を、これらの接合部に嵌装したパイプ部のかしめなどにより、固定取付けしてある。
【００１５】
１０は餌保持具で、この例では三叉サルカン１１をその摺動体部として用いている。すなわち図２に拡大図示するように、三叉サルカン１１の中央の環体部１２に連結された２個のリング１３ａ，１３ｂの穴１４ａ，１４ｂ内に弾性線材４，４を挿通させ、中央部において環体部１２から垂下した残りの１個のリング１３ｃに、鼻掛け針からなる生餌用針１５を糸（針金でもよい）１６により連結して、餌保持具１０を構成してある。
【００１６】
そして図１および図２に示すように、ハの字状に広がった状態の弾性線材４，４の基端部に近い位置で、リング１３ａ，１３ｂの穴１４ａ，１４ｂ（の各外側縁部）が弾性線材４，４に係止した状態で、餌保持具１０は弾性線材４，４に保持されており、このときの餌保持具１０の状態を、以下「基本状態」と称する。
【００１７】
また２０は、各弾性線材４の上下中間部に取付位置調整可能に設けたストッパで、上記餌保持具１０の穴１４ａ，１４ｂより大径のセル玉やゴム玉などを用い、弾性線材４に沿って指で押して移動でき、イカ釣り用仕掛１の使用前後の取扱いなどによっては容易に摺動しない強度で弾性線材４部に固定されるように、弾性線材４に嵌合されている。
【００１８】
そして前記構成の餌保持具１０を、棒体３を保持した状態で、たとえば三叉サルカン１１部を指で把持して弾性線材４，４の先端方向（図１における下向方向）に移動させると、弾性線材４，４の左右両外側面部がリング１３ａ，１３ｂの穴１４ａ，１４ｂの各外側縁部に係合する状態で、餌保持具１０は弾性線材４，４に沿って摺動し、これによって両弾性線材４，４は相互に接近する方向に弾性変形する。
【００１９】
図３は餌保持具１０をストッパ２０に係止する迄移動させた状態を示し、この餌保持具１０の状態を、以下「係止状態」と称する。そして前記ストッパ２０の固定位置を弾性線材４の上下中間部の所定位置に調整しておくことにより、図３に示すように上記係止状態で弾性線材４，４の各先端部の掛け針５，５および餌保持具１０の生餌用針１５を相互に離間させた状態として相互に絡み合うのを防止でき、且つ仕掛全体が図１に示す状態より遙かにコンパクトな外形形状となるので、イカ釣り用仕掛１の製品の製造〜販売までの間、およびこの製品購入者の実際のイカ釣り使用前後の、箱等の製品収納容器への収容，保管，運搬等に便利である。なお餌保持具１０をもとの基本状態に戻せば、弾性線材４，４はその弾性（バネ性）により図１に示すもとのハの字状に開いた形に戻る。
【００２０】
次に図４〜図６により、上記構成のイカ釣り用仕掛１の使用方法を説明する。先ず餌保持具１０は図１に示す弾性線材４，４の上部に保持された基本状態とし、図４に示すように、図示しない浮子を介して釣竿に連結された釣糸３１を常法によりスナップサルカン３２等を介して釣糸連結部２に連結し、餌保持具１０の生餌用針１５にアジ等の生餌３５の鼻部を掛止させて、水中に投入する。
【００２１】
この水中に投入され釣糸３１により水中に保持されているイカ釣り用仕掛１においては、生餌３５は水中を前後・上下等に泳動するが、この泳動力により生餌用針１５を介して餌保持具１０にかかる引張力は小さいものであり、この泳動力や水中投入時の振動・衝撃力等によっても餌保持具１０が上記基本状態を越えて弾性線材４の先端方向には移動しないように、且つ後記の生餌３５に取付いたイカ４０による引張力によって餌保持具１０が弾性線材４を弾性変形させつつ弾性線材４の先端方向に移動するように、弾性線材４，４の弾性（バネ性）すなわちその材質や線径を選定しておく。
【００２２】
上記の水中保持状態でイカ４０が生餌３５に接近して生餌３５を触手を延ばして斜め下向き等に引張ったり抱付いたりすると、餌保持具１０を介して引張られた仕掛全体が、先ず矢印Ｒで示すように回動して２本の弾性線材４，４がイカ４０の胴部（足を含み、以下同様とする。）のほぼ左右両側位置まで回動する。この状態の弾性線材４，４等を図６に鎖線で示す。
【００２３】
この状態でさらにイカ４０は生餌３５を引張るが、このときの引張力は前記生餌３５の泳動力等による引張力よりは十分大きいので、餌保持具１０はこの大きな引張力により弾性線材４の先端４ａに向うように引張られ、これによって図６に矢印Ｑで示すように弾性線材４，４はイカ４０の胴部に向って弾性変形し、図５および図６に示すように掛け針５，５が胴部を左右からはさみ付ける形でイカ４０に引掛かる。これに驚いたイカ４０がさらに矢印Ｓ方向に逃げようとすると餌保持具１０によりさらに引絞られる形で弾性線材４，４および掛け針５，５が一層深く胴部に喰込むので、イカ４０は逃げられず、このようにしてイカ４０を確実に掛け針５，５に掛けて捕えることができるのである。捕獲したイカ４０および生餌３５の残部の取外し後は、餌保持具１０をもとの基本状態に戻せば弾性線材４，４は図１に示すもとのハの字状に開いた形に戻るので、餌保持具１０に新たな生餌３５を装着して、上記と同様にしてイカ釣りをおこなえばよい。
【００２４】
そしてこの例では、生餌用針１５として生餌３５の鼻部に引掛けられる鼻掛け針を用いているので、生餌３５は鼻部を拘束されるだけであり、またハの字状に広がる弾性線材４，４に胴部が接触することも少ないため、生餌３５の消耗やいたみが少なくて済む。またイカ４０が取付こうとする生餌３５の尾部は餌保持具１０や弾性線材４部から離間した位置に来るため、イカ４０がこれら餌保持具１０等を異物として警戒する度合いが少なく、この点でもイカ４０の捕獲率が向上するのである。
【００２５】
またこの例では、餌保持具１０の摺動体部を三叉サルカン１１で構成したので、弾性線材４，４が挿通されるリング１３ａ，１３ｂが回動自在であるため、餌保持具１０の弾性線材先端方向への摺動時に、リング１３ａ，１３ｂの穴１４ａ，１４ｂの内周部と弾性線材４，４との間でせりやひっかかりを生じることがなく、餌保持具１０の円滑な摺動作用が得られるとともに、市販の三叉サルカン１１の採用により餌保持具１０を低価格で製作できるのである。
【００２６】
次に図７および図８に示すこの発明の第２例では、生餌用針５２として生餌３５の背部に引掛けられる背掛け針を用いた点のみが前記第１例と異なり、他の構成は前記第１例と同じであるので、前記各図と同一部分または相当部分には同一符号を付して図示し、その詳細な説明は省略し、以下、他の例においても同様とする。
【００２７】
この例のイカ釣り用仕掛５１は、図８に示すように生餌用針５２を生餌３５の背部に引掛けて使用するものであり、この生餌３５に乗ったイカの捕獲作用は、前記第１例と同様である。
【００２８】
この発明は上記各例に限定されるものではなく、たとえば図９に示すイカ釣り用仕掛６１のように、弾性線材４，４の先端部に、複数段（この例では２段）にわたって掛け針５を取付けてもよく、これによって掛け針５がイカに引掛かる度合がさらに向上する。
【００２９】
また図１０に示すイカ釣り用仕掛７１のように、２本の弾性線材４，４の長さを異なるものとしてもよく、これによって、イカの大きさ（長さ）が異なる場合、小さいイカに対しては短尺の方の弾性線材４の先端部の掛け針５を、大きいイカに対しては少なくとも長尺の方の弾性線材４の先端部の掛け針５を、それぞれ確実にイカに引掛けることができ、大きさの異なるイカに対する捕獲率が向上する。
【００３０】
さらに図１１に示すイカ釣り用仕掛８１のように、弾性線材４，４の中間部を折曲加工して、餌保持具１０の移動を規制するストッパ８２，８２を形成するようにしてもよい。
【００３１】
また前記第１例の餌保持具１０の摺動体部を構成する三叉サルカン１１のかわりに、図１２に示すように弾性線材４，４が挿通される２個の穴９２ａ，９２ｂを有する針金の折曲成形体９１を、上記摺動体部として用いた餌保持具９０や、図１３に示すように弾性線材４，４が挿通される長穴状の１個の穴９７を有する板材の打抜折曲体９６を、上記摺動体部として用いた餌保持具９５等を使用してもよい。
【００３２】
さらに生餌用針１５，５２の具体的形状や構造、餌保持具の摺動体部との連結構造等も上記以外のものとしてもよい。またストッパ２０は弾性線材４に接着などにより固着してもよく、さらに２本の弾性線材４，４を別体の引掛金具などで相互に接近状態に保持して収納，保管，運搬等する場合などは、弾性線材４，４部に上記ストッパ２０，８２等は設けなくてもよい。
【図面の簡単な説明】
【００３３】
【図１】この発明の実施の形態の第１例を示すイカ釣り用仕掛の正面図である。
【図２】図１における餌保持具部の拡大斜視図である。
【図３】図１のイカ釣り用仕掛の餌保持具係止状態を示す正面図である。
【図４】図１のイカ釣り用仕掛の使用状態を示す側面図である。
【図５】図４の使用状態においてイカが掛け針に掛かった状態を示す側面図である。
【図６】図５の矢視Ａ−Ａ側面図である。
【図７】この発明の実施の形態の第２例を示すイカ釣り用仕掛の正面図である。
【図８】図７のイカ釣り用仕掛の使用状態を示す側面図である。
【図９】この発明の実施の形態の他の例を示すイカ釣り用仕掛の正面図である。
【図１０】この発明の実施の形態のさらに他の例を示すイカ釣り用仕掛の正面図である。
【図１１】この発明の実施の形態のさらに他の例を示すイカ釣り用仕掛の正面図である。
【図１２】この発明における餌保持具の他の例を示す図２相当図である。
【図１３】この発明における餌保持具のさらに他の例を示す図２相当図である。
【符号の説明】
【００３４】
１…イカ釣り用仕掛、２…釣糸連結部、３…棒体、４…弾性線材、４ａ…先端、５…掛け針、１０…餌保持具、１１…三叉サルカン、１４ａ…穴、１４ｂ…穴、１５…生餌用針、１６…糸、２０…ストッパ、５１…イカ釣り用仕掛、５２…生餌用針、６１…イカ釣り用仕掛、７１…イカ釣り用仕掛、８１…イカ釣り用仕掛、８２…ストッパ、９０…餌保持具、９２ａ…穴、９２ｂ…穴、９５…餌保持具、９７…穴。
【図１】
2008228611.tif 000003
【図２】
2008228611.tif 000004
【図３】
2008228611.tif 000005
【図４】
2008228611.tif 000006
【図５】
2008228611.tif 000007
【図６】
2008228611.tif 000008
【図７】
2008228611.tif 000009
【図８】
2008228611.tif 000010
【図９】
2008228611.tif 000011
【図１０】
2008228611.tif 000012
【図１１】
2008228611.tif 000013
【図１２】
2008228611.tif 000014
【図１３】
2008228611.tif 000015